(57)【特許請求の範囲】
【請求項１】
指針を駆動するムーブメントを薄型の柔軟部材に装着してなる時計であり、前記ムーブメントは前記柔軟部材の背面に支持するとともに、前記指針は前記柔軟部材の正面に配置し、当該時計は前記柔軟部材を吊るした状態に設置される時計であって、
建物躯体に前記柔軟部材を支持する支持プレートを設け、この支持プレートは前記柔軟部材を挿通する長溝を備え、
前記柔軟部材を前記支持プレートに挿通して該柔軟部材が二つ折りの状態で吊るされるとともに、前記柔軟部材の昇降に伴い当該時計が上下移動可能に設けられていることを特徴とする時計。
【請求項２】
前記柔軟部材について、前記指針の駆動領域と対向する部位には、かかる部位の変形を防止する変形防止手段を設け、更に、前記建物躯体に、前記支持プレートとの間で前記柔軟部材を挟むカバープレートを設けたことを特徴とする請求項１記載の時計。
【発明の詳細な説明】
【０００１】
【発明の属する技術分野】
本発明は、装飾性に優れた時計に関し、特に壁掛け時計として好適に利用されるものである。
【０００２】
【従来の技術】
室内に設置する壁掛け時計は、インテリアとしての効用も重要であり、そのデザインはますます多様化される傾向にある。
【０００３】
【発明が解決しようとする課題】
特に近年、時計のデザインについては、形状や色調の美観のみならず、構造的にも奇抜で斬新な工夫が必要とされている。本発明の目的は、かかる事情を踏まえつつ、装飾性に優れた時計を提供することである。
【０００４】
【課題を解決するための手段】
本願第１請求項に記載した発明は、指針を駆動するムーブメントを薄型の柔軟部材に装着してなる時計であり、前記ムーブメントは前記柔軟部材の背面に支持するとともに、前記指針は前記柔軟部材の正面に配置し、当該時計は前記柔軟部材を吊るした状態に設置される時計であって、建物躯体に前記柔軟部材を支持する支持プレートを設け、この支持プレートは前記柔軟部材を挿通する長溝を備え、前記柔軟部材を前記支持プレートに挿通して該柔軟部材が二つ折りの状態で吊るされるとともに、前記柔軟部材の昇降に伴い当該時計が上下移動可能に設けられる構成の時計である。このような構成によると、装飾性に優れた時計が得られる。
【０００５】
すなわち、時計の文字板は、通常はケース等に嵌め込まれた剛体であるところ、本発明においては、吊るされた柔軟部材が文字板に相当する。柔軟部材は手で触れると変形し、ついては、これが印象深い外観を醸し出す。
【０００６】
本願第２請求項に記載した発明は、請求項１記載の時計であって、前記柔軟部材について、前記指針の駆動領域と対向する部位には、かかる部位の変形を防止する変形防止手段を設け、更に、前記建物躯体に、前記支持プレートとの間で前記柔軟部材を挟むカバープレートを設けた構成の時計である。このような構成によると、指針と柔軟部材との不要な当接が回避され、また、カバープレートにより柔軟部材が保持される。
【０００７】
すなわち、柔軟部材が変形して指針に当接すると、指針の表示時刻に狂いを生じる場合が考えられる。この点本発明によると、柔軟部材の要所に変形防止手段を設けたので、そのような不都合が未然に防止され、指針の表示時刻は正確に維持される。また、カバープレートと支持プレートとの間に柔軟部材が挟まれるので、柔軟部材の昇降に伴い当該時計が上下移動可能に設けられる本願発明において、適宜の上下位置にて柔軟部材従って本願の時計を、静止させることが可能となる。
【０００８】
【発明の実施の形態】
以下に、本発明の具体例を図面に基づいて詳細に説明する。
【０００９】
図１乃至図４に示す時計１は、指針２１を駆動するムーブメント２０を薄型の柔軟部材である帯状の布体３０に装着して構成された室内用の壁掛け時計である。布体３０は、繊維を織った織物であり、本例ではこれが文字板に相当する。そして、当該時計１はこの布体３０を吊るした状態に設置される。
【００１０】
ムーブメント２０は、モータと、モータの電源たる電池と、モータの回転を減速して指針パイプ２２に伝達する減速機構とを偏平状の小型ケースに収納してなり、小型ケースから突出した指針パイプ２２に指針２１を装着する構成となっている。かかるムーブメント２０は、指針パイプ２２を布体３０に貫通しつつ布体３０の背面に支持され、指針２１は、布体３０の正面に配置されている。
【００１１】
また、ムーブメント２０と布体３０との間には、布体３０の不要な変形を防止する変形防止プレート４０を設けている。布体３０及び変形防止プレート４０には、指針パイプ２２を貫通する孔部が設けられている。
【００１２】
つまり、変形防止プレート４０は、指針２１の駆動領域と対向する布体３０の部位にその背面側から添えられた部材であり、かかる部位の変形を防止する変形防止手段である。
【００１３】
この変形防止プレート４０は、両面テープを用いてムーブメント２０及び布体３０にそれぞれ貼着されている。或いは、比較的柔らかい合成樹脂製の変形防止プレート４０を採用すれば、変形防止プレート４０は布体３０に縫い付けることも可能である。変形防止プレート４０によれば、指針２１が布体３０に当接する事態を効率よく回避することができる。
【００１４】
尚、図例では矩形の変形防止プレート４０を示したが、これは円形のものに置き換えてもよいことは勿論である。また、変形防止プレート４０は、布体３０の正面側から添えるように構成してもよい。つまり、変形防止プレート４０は、布体３０と指針２１との間に配置することも可能である。特にこの場合は、変形防止プレート４０には時刻を指標する文字等を設けるとよい。
【００１５】
更に、変形防止手段は、このような変形防止プレート４０を用いずに構成することも可能である。例えば、布体３０の所要の部位に硬化性の樹脂を塗布して構成することも可能である。
【００１６】
本例の時計１は、布体３０を壁や柱等の建物躯体６０に取り付けた支持装置５０に吊るして設置される。この支持装置５０は、建物躯体６０に支持された略断面Ｌ字状の支持プレート５１と、支持プレート５１に嵌合されるとともにこれを覆うカバープレート５２とを備えている。支持プレート５１は、留具である複数のピン５３をそれぞれ挿通する複数の孔部を有し、孔部から各ピン５３を建物躯体６０に刺し込むことにより、建物躯体６０に支持される。尚、支持プレート５１は、両面テープ等を用いて建物躯体６０に支持することも可能である。或いは、建物躯体６０にねじ止め又はビス止めするように構成してもよい。
【００１７】
布体３０は、一方の端を支持プレート５１に形成された長溝５１ａに挿通することにより、この支持プレート５１に対して二つ折りの状態で吊るされる（図１及び図２参照）。カバープレート５２は、支持プレート５１との間に布体３０を挟み、自重で布体３０を押え込む。従って、布体３０が自然にずり落ちる心配はない。また、布体３０の両端部には、吊るした布体３０の形状を整える錘として、棒体（図例は金属パイプ）３１をそれぞれ装着する。
【００１８】
このような構成によると、支持装置５０に対する布体３０の位置関係は任意に設定することができる。つまり、指針２１による時刻表示位置は、布体３０の一方の端部を引っ張り下げると上昇し（図３参照）、他方の端部を引っ張り下げると下降する（図４参照）。時刻表示位置の上限は、変形防止プレート４０が支持装置５０に突き当たる位置となる。また下限は、一方の端部の棒体３１が支持プレート５１の長溝５１ａにつかえる位置となる。
【００１９】
このように本例の時計１は、奇抜で斬新な構造的工夫を施すことにより、その装飾性を顕著に向上したものであり、室内の壁掛け時計として極めて好適に利用することができる。特に布体３０には、時刻を指標する文字をはじめ、各種絵柄を構成することができる。
【００２０】
尚、薄型の柔軟部材としては、本例では手触りの良さを考慮して布体３０を採用したが、或いは、紙製又は合成樹脂製のシートを採用することも可能であり、更には、紐を編んでなる網体や、ビーズ等の剛体部品を多数連結してなる装飾物を採用することも可能である。
【００２１】
【発明の効果】
以上説明したように、本願発明は、指針を駆動するムーブメントを薄型の柔軟部材に装着してなる時計であり、前記ムーブメントは前記柔軟部材の背面に支持するとともに、前記指針は前記柔軟部材の正面に配置し、当該時計は前記柔軟部材を吊るした状態に設置される時計であって、建物躯体に前記柔軟部材を支持する支持プレートを設け、この支持プレートは前記柔軟部材を挿通する長溝を備え、前記柔軟部材を前記支持プレートに挿通して該柔軟部材が二つ折りの状態で吊るされるとともに、前記柔軟部材の昇降に伴い当該時計が上下移動可能に設けられる構成の時計である。このような構成によると、装飾性に優れた時計を得ることができる。
【図面の簡単な説明】
【図１】  本発明の具体例に係り、時計を示す正面図である。
【図２】  本発明の具体例に係り、時計を示す側面図である。
【図３】  本発明の具体例に係り、時計を示す側面図である。
【図４】  本発明の具体例に係り、時計を示す側面図である。
【符号の説明】
１      時計
２０      ムーブメント
２１      指針
２２      指針パイプ
３０      布体
３１      棒体
４０      変形防止プレート
５０      支持装置
５１      支持プレート
５１ａ      長溝
５２      カバープレート
５３      ピン
６０      建物躯体
【図１】
0003655877.tif 000002
【図２】
0003655877.tif 000003
【図３】
0003655877.tif 000004
【図４】
0003655877.tif 000005